(57)【要約】【課題】電子機器の梱包箱において、電子機器を収容し易く、コストダウンが容易で、かつ箱強度を高める。【解決手段】内底フラップ６を複数回折り曲げて、筒状の下側緩衝部１０を形成し、内天フラップ８を複数回折り曲げて筒状の上側緩衝部１１を形成する。下側緩衝部１０、上側緩衝部１１の側面の一部を筒の内側に折り曲げて電子機器２を嵌合支持する凹部１２、１３を形成する。下側緩衝部１０と上側緩衝部１１とは互いに面接触し、その先端部に短側面板４を補強する下側補強板１４、上側補強板１５が設けられる。短側面板４から内側に折り曲げられた折曲係止部１７が下側補強板１４に設けられている嵌合孔１８に嵌合され、下側緩衝部１０が折り曲げられた状態で維持される。【選択図】図２
2005255227.tif 000002
【特許請求の範囲】
【請求項１】
梱包箱の側面を形成する４つの側面板と、
この４つの側面板のうち、対向する１組の側面板の下辺に連設され、梱包箱の底面をなす１対の外底フラップと、
前記４つの側面板のうち、対向する他の組の側面板の下辺に連設され、前記外底フラップの内側に折り曲げられる１対の内底フラップと、
この４つの側面板のうち、対向する１組の側面板の上辺に連設され、梱包箱の天面をなす１対の外天フラップと、
前記４つの側面板のうち、対向する他の組の側面板の上辺に連設され、前記外天フラップの内側に折り曲げられる１対の内天フラップとを備え、
前記内底フラップは、前記側面板の下辺から該フラップの先端にかけて複数回折り曲げられることにより、筒状の下側緩衝部を形成し、
前記内天フラップは、前記側面板の上辺から該フラップの先端にかけて複数回折り曲げられることにより、筒状の上側緩衝部を形成し、
この下側緩衝部及び上側緩衝部は、その側面の一部が筒の内側に折り曲げられることにより電子機器を嵌合支持する凹部を有する電子機器の梱包箱において、
前記下側緩衝部は、前記内底フラップが連設されている側面板に沿う位置に、該側面板の下部を補強する下側補強板を有し、
前記上側緩衝部は、前記内天フラップが連設されている側面板に沿う位置に、該側面板の上部を補強する上側補強板を有し、
前記下側緩衝部と上側緩衝部とは、梱包箱の高さ方向の略中央で面接触し、前記下側補強板及び上側補強板によって前記内底フラップ及び内天フラップが連設されている側面板が下辺から上辺に亘って補強され、
前記上側緩衝部は、前記凹部を形成する側面の一部が前記上側補強板に向って延長され、その先端が該上側補強板に当接されており、
前記側面板は、前記下側補強板と対向する位置に、前記下側緩衝部を折り曲げた状態で係止するために内側に折り曲げられる折曲係止部を有し、
前記下側補強板は、前記折曲係止部に対応する位置に、該折曲係止部が嵌合される嵌合孔を有し、該折曲係止部が該嵌合孔に嵌合されることにより、前記下側緩衝部が折り曲げられた状態で維持されることを特徴とする電子機器の梱包箱。
【請求項２】
梱包箱の側面を形成する４つの側面板と、
この４つの側面板のうち、対向する１組の側面板の下辺に連設され、梱包箱の底面をなす１対の外底フラップと、
前記４つの側面板のうち、対向する他の組の側面板の下辺に連設され、前記外底フラップの内側に折り曲げられる１対の内底フラップと、
この４つの側面板のうち、対向する１組の側面板の上辺に連設され、梱包箱の天面をなす１対の外天フラップと、
前記４つの側面板のうち、対向する他の組の側面板の上辺に連設され、前記外天フラップの内側に折り曲げられる１対の内天フラップとを備え、
前記内底フラップは、前記側面板の下辺から該フラップの先端にかけて複数回折り曲げられることにより、筒状の下側緩衝部を形成し、
前記内天フラップは、前記側面板の上辺から該フラップの先端にかけて複数回折り曲げられることにより、筒状の上側緩衝部を形成し、
この下側緩衝部及び上側緩衝部は、その側面の一部が内側に折り曲げられることにより電子機器を嵌合支持する凹部を有する電子機器の梱包箱において、
前記下側緩衝部は、前記内底フラップが連設されている側面板に沿う位置に、該側面板の下部を補強する下側補強板を有し、
前記側面板は、前記下側補強板と対向する位置に、前記下側緩衝部を折り曲げた状態で係止するために内側に折り曲げられる折曲係止部を有し、
前記下側補強板は、前記折曲係止部に対応する位置に、該折曲係止部が嵌合される嵌合孔を有し、該折曲係止部が該嵌合孔に嵌合されることにより、前記下側緩衝部が折り曲げられた状態で維持されることを特徴とする電子機器の梱包箱。
【請求項３】
前記下側緩衝部と上側緩衝部とは、梱包箱の高さ方向の略中央で面接触し、前記内底フラップ及び内天フラップが連設されている側面板が下辺から上辺に亘って補強されていることを特徴とする請求項２に記載の電子機器の梱包箱。
【発明の詳細な説明】
【技術分野】
【０００１】
本発明は、電子機器を梱包し、衝撃から保護する梱包容器、特に比較的薄型で軽量の電子機器を梱包するのに適した梱包箱に関するものである。
【背景技術】
【０００２】
従来から段ボール紙によって成る電子機器の梱包箱においては、隅部に配置された発泡ポリスチレン等の発泡樹脂から成る緩衝材によって電子機器を支持することにより、輸送時の衝撃から機器を保護していた。このような発泡樹脂から成る緩衝材は、使用後の廃棄の際、環境上の問題を有している。
【０００３】
そこで、電子機器を衝撃から保護するための緩衝部を梱包箱の内側フラップを折り曲げて形成するようにして、上述した問題の解決を図った梱包箱が種々提案されている（例えば、特許文献１乃至特許文献４参照）。また、フラップで内容物を支持するように構成された容器も知られている（例えば、特許文献５参照）。
【特許文献１】特開平９−１０４４３２号公報
【特許文献２】特開平６−１３５４６１号公報
【特許文献３】実開昭４９−３１７３２号公報
【特許文献４】特開平１０−２９６２６号公報
【特許文献５】実用新案登録第２５６１３０９号公報
【発明の開示】
【発明が解決しようとする課題】
【０００４】
しかしながら、特許文献１及び２に示された梱包箱にあっては、内底フラップを折り曲げて緩衝部としているだけなので、電子機器を収容しようとする際に緩衝部が元に戻ろうとするので、緩衝部を手等で押さえなければならず作業性が悪い。
【０００５】
また、特許文献３に示された梱包箱にあっては、緩衝部の先端に形成されている矢型突起片を内底フラップに形成されている穴に係合させることにより、緩衝部が元に戻ることを防止するように構成されているが、矢型突起片の突出寸法が小さいので、該突起片が穴から外れ易いという問題がある。このような問題を解決するために、矢型突起片の突出寸法を大きくすると、梱包箱を複数個積重ねる際に梱包箱の底面から突出された突起片が邪魔になり、梱包箱を揃えて積重ねることが困難となり、積重ねた包装箱の安定性が損なわれる。
【０００６】
また、特許文献４に示された梱包箱にあっては、緩衝部が元に戻ろうとするのを防止するために外底フラップの外縁に固定用突起を設けているが、内底フラップの奥行き寸法と外底フラップの奥行き寸法（図３における寸法Ｌに相当）が略同等となるような厚みの薄い梱包箱の場合、梱包箱を組み立てる前の展開された状態で固定用突起が内底フラップ及び外底フラップの外縁からはみ出すことになる。従って、１枚の段ボール紙から複数個の梱包箱を量産する際、無駄な端切れ部分が多くなり、梱包箱のコストダウンを図ることができない。
【０００７】
さらに、上記いずれの梱包箱にあっても、上側緩衝部と下側緩衝部とが離れているので、側面板のみによって上下方向の荷重を支えなければならない。従って、誤って梱包箱を落下させてしまった場合には側面板が座屈し易く、収容されている電子機器に大きな応力が加えられる虞があった。
【０００８】
本発明は、上記課題を解決するためになされたものであり、電子機器を収容し易く、コストダウンが容易で、かつ強度の高い電子機器の梱包箱を提供することを目的とする。
【課題を解決するための手段】
【０００９】
上記目的を達成するために請求項１の発明は、梱包箱の側面を形成する４つの側面板と、この４つの側面板のうち、対向する１組の側面板の下辺に連設され、梱包箱の底面をなす１対の外底フラップと、４つの側面板のうち、対向する他の組の側面板の下辺に連設され、外底フラップの内側に折り曲げられる１対の内底フラップと、この４つの側面板のうち、対向する１組の側面板の上辺に連設され、梱包箱の天面をなす１対の外天フラップと、４つの側面板のうち、対向する他の組の側面板の上辺に連設され、外天フラップの内側に折り曲げられる１対の内天フラップとを備え、内底フラップは、側面板の下辺から該フラップの先端にかけて複数回折り曲げられることにより、筒状の下側緩衝部を形成し、内天フラップは、側面板の上辺から該フラップの先端にかけて複数回折り曲げられることにより、筒状の上側緩衝部を形成し、この下側緩衝部及び上側緩衝部は、その側面の一部が筒の内側に折り曲げられることにより電子機器を嵌合支持する凹部を有する電子機器の梱包箱において、下側緩衝部は、内底フラップが連設されている側面板に沿う位置に、該側面板の下部を補強する下側補強板を有し、上側緩衝部は、内天フラップが連設されている側面板に沿う位置に、該側面板の上部を補強する上側補強板を有し、下側緩衝部と上側緩衝部とは、梱包箱の高さ方向の略中央で面接触し、下側補強板及び上側補強板によって内底フラップ及び内天フラップが連設されている側面板が下辺から上辺に亘って補強され、上側緩衝部は、凹部を形成する側面の一部が上側補強板に向って延長され、その先端が該上側補強板に当接されており、側面板は、下側補強板と対向する位置に、下側緩衝部を折り曲げた状態で係止するために内側に折り曲げられる折曲係止部を有し、下側補強板は、折曲係止部に対応する位置に、該折曲係止部が嵌合される嵌合孔を有し、該折曲係止部が該嵌合孔に嵌合されることにより、下側緩衝部が折り曲げられた状態で維持されるものである。
【００１０】
請求項２の発明は、梱包箱の側面を形成する４つの側面板と、この４つの側面板のうち、対向する１組の側面板の下辺に連設され、梱包箱の底面をなす１対の外底フラップと、４つの側面板のうち、対向する他の組の側面板の下辺に連設され、外底フラップの内側に折り曲げられる１対の内底フラップと、この４つの側面板のうち、対向する１組の側面板の上辺に連設され、梱包箱の天面をなす１対の外天フラップと、４つの側面板のうち、対向する他の組の側面板の上辺に連設され、外天フラップの内側に折り曲げられる１対の内天フラップとを備え、内底フラップは、側面板の下辺から該フラップの先端にかけて複数回折り曲げられることにより、筒状の下側緩衝部を形成し、内天フラップは、側面板の上辺から該フラップの先端にかけて複数回折り曲げられることにより、筒状の上側緩衝部を形成し、この下側緩衝部及び上側緩衝部は、その側面の一部が内側に折り曲げられることにより電子機器を嵌合支持する凹部を有する電子機器の梱包箱において、下側緩衝部は、内底フラップが連設されている側面板に沿う位置に、該側面板の下部を補強する下側補強板を有し、側面板は、下側補強板と対向する位置に、下側緩衝部を折り曲げた状態で係止するために内側に折り曲げられる折曲係止部を有し、下側補強板は、折曲係止部に対応する位置に、該折曲係止部が嵌合される嵌合孔を有し、該折曲係止部が該嵌合孔に嵌合されることにより、下側緩衝部が折り曲げられた状態で維持されるものである。
【００１１】
請求項３の発明は、請求項２に記載の電子機器の梱包箱において、下側緩衝部と上側緩衝部とは、梱包箱の高さ方向の略中央で面接触し、内底フラップ及び内天フラップが連設されている側面板が下辺から上辺に亘って補強されているものである。
【発明の効果】
【００１２】
請求項１の発明によれば、折曲係止部が嵌合孔に嵌合されることにより、下側緩衝部が折り曲げられた状態で維持されるので、電子機器の収容が容易に行なえるようになる。また、外底フラップの外縁に下側緩衝部を固定するための突起を設ける必要がないので、略矩形の展開形状から梱包箱を形成することも可能となり、無駄な端切れをなくして量産時における梱包箱のコストダウンを図ることができる。また、下側緩衝部と上側緩衝部が梱包箱の高さ方向の略中央で面接触し、下側補強板及び上側補強板によって側面板が下辺から上辺に亘って補強されるので、側面板の強度を高めることができる。また、上記折曲係止部と嵌合孔との嵌合により、内底フラップが連設されている側面板と下側補強板とが結合されるので、該側面板の下部の強度を一層高めることができる。さらに、上側緩衝部の凹部を形成する側面の一部が上側補強板に向って延長され、その先端が該上側補強板に当接されているので、側面板に略直交する方向に加えられた荷重を分散でき、側面板の強度を一層高めることが可能となる。
【００１３】
請求項２の発明によれば、折曲係止部が嵌合孔に嵌合されることにより、下側緩衝部が折り曲げられた状態で維持されるので、電子機器の収容が容易に行なえるようになる。また、外底フラップの外縁に下側緩衝部を固定するための突起を設ける必要がないので、梱包箱のコストダウンを図ることができる。また、上記折曲係止部と嵌合孔との嵌合により、内底フラップが連設されている側面板と下側補強板とが結合されるので、該側面板の強度を高めることができる。
【００１４】
請求項３の発明によれば、下側緩衝部と上側緩衝部が梱包箱の高さ方向の略中央で面接触し、側面板が下辺から上辺に亘って補強されるので、側面板の強度を高めることができる。
【発明を実施するための最良の形態】
【００１５】
本発明を実施するための最良の実施形態による電子機器の梱包箱について図面を参照して説明する。図１は梱包箱の外観を、図２は梱包箱の短側面周辺の断面を、図３は、梱包箱の組み立て前の展開図をそれぞれ示している。なお、同展開図において、実線はカッタによって切り出されるカット線を示し、破線は段ボール紙を折り曲げるための折曲基準線を示し、ハッチングはカッタによって切り抜かれた領域を示している。
【００１６】
梱包箱１は、ＤＶＤ（Digital Versatile Disk)プレーヤ等の比較的薄型で軽量の電子機器２を収容し、衝撃等から保護するために、段ボール紙等を折り曲げることにより形成された緩衝部一体型のカートンボックスである。梱包箱１は、４つの側面を形成する１対の長側面板３及び短側面板４と、長側面板３の下辺に連設され、梱包箱１の底面をなす１対の外底フラップ５と、短側面板４の下辺に連設され、外底フラップ５の内側に折り曲げられる１対の内底フラップ６と、長側面板３の上辺に連設され、梱包箱１の天面をなす１対の外天フラップ７と、短側面板４の上辺に連設され、外天フラップ７の内側に折り曲げられる１対の内天フラップ８等によって構成されている。
【００１７】
内底フラップ６は、図２（ａ）に示されるように、短側面板４の下辺からフラップの先端にかけて複数回折り曲げられることにより、断面が略正方形の筒状の下側緩衝部１０を形成する。同様に、内天フラップ８は、短側面板４の上辺からフラップの先端にかけて複数回折り曲げられることにより、断面が略正方形の筒状の上側緩衝部１１を形成する。下側緩衝部１０及び上側緩衝部１１の側面の中央部は、図２（ｂ）に示されるように、筒の内側に折り曲げられることにより電子機器２を嵌合支持するための凹部１２、１３を形成する。
【００１８】
下側緩衝部１０は、その先端部に短側面板４の下部を補強するための下側補強板１４を有している。下側補強板１４は、短側面板４の下部と面接触しており、短側面板４に掛かる荷重を分散することにより同部分を補強する。同様に、上側緩衝部１１は、その先端部に短側面板４の上部と面接触し、短側面板４の上部を補強する上側補強板１５を有している。下側緩衝部１０と上側緩衝部１１とは、梱包箱１の高さ方向の中央部２５，２６で互いに面接触し、上下方向の荷重を分散する。また、下側補強板１４及び上側補強板１５によって短側面板４が下辺から上辺に亘って補強される。
【００１９】
上側緩衝部１１は、凹部１３を形成する側面から上側補強板１５に向って突設された突張部１６を有しており、突張部１６の先端が上側補強板１５の側面に当接されている。
【００２０】
短側面板４の下側補強板１４と対向する位置には、下側緩衝部１０を折り曲げた状態で係止するための折曲係止部１７が設けられている。この折曲係止部１７は、短側面板４を略コの字状に切り出して、その根元部分の折曲基準線３０を支点として内側に折り曲げることにより形成される。一方、下側補強板１４の折曲係止部１７に対応する位置には、折曲係止部１７が嵌合される嵌合孔１８が設けられている。図１（ｂ）及び図２（ｃ）に示すように、折曲係止部１７が嵌合孔１８に嵌合されることにより、下側緩衝部１０が折り曲げられた状態で維持されることになる。また、凹部１２、１３の両端に位置される両端当接部２３、２４（図３及び図４参照）は、電子機器の側面と略平行になるように折り曲げられることにより、電子機器２の側面に面接触可能とされ、電子機器２の損傷を防止する。
【００２１】
次に、梱包箱１を用いた電子機器２の梱包作業について、図２乃至図４を参照して説明する。まず、図４（ａ）に示すように、内底フラップ６を折り曲げ基準線２１（図３参照）に沿って複数回折り曲げることにより、下側緩衝部１０が形成される。このとき、折り曲げ基準線２２を逆向きに折り曲げることにより、下側緩衝部１０の側面に凹部１２を形成することができる。そして、折曲係止部１７を内側に押し込むことにより、折曲係止部１７が嵌合孔１８に嵌合され、下側緩衝部１０が折り曲げられた状態で維持される。その後、２つの外底フラップ５を矢印Ｄ方向に折り曲げて両者を固定することにより、図４（ｂ）に示すように、電子機器２を収容可能な状態とすることができる。そして、電子機器２は矢印Ｅ方向に収容され、凹部１２及び両端当接部２３が電子機器２に当接して電子機器２を支持する。その後、図４（ｃ）に示すように、内天フラップ７を内底フラップ６と同様に、折り曲げ基準線２５、２６に沿って複数回折り曲げることにより、上側緩衝部１１が形成され、上側緩衝部１１を矢印Ｆ方向に押圧して電子機器２と短側面板４との隙間に挿入すると、図１に示す状態にすることができる。そして、２つの外底フラップ７を内側に折り曲げて両者をテープ等で固定すれば、電子機器２の梱包が完了する。
【００２２】
以上のように、本実施形態の梱包箱１によれば、折曲係止部１７が嵌合孔１８に嵌合されることにより、下側緩衝部１０が折り曲げられた状態で維持されるので、電子機器２の収容が容易に行なえるようになる。また、外底フラップ５の外縁に下側緩衝部１０を固定するための突起を設ける必要がないので、図３に示すような略矩形の展開形状から梱包箱１を形成することも可能となり、１枚の段ボール紙から複数個の梱包箱１を量産する際に、無駄な端切れをなくして梱包箱１のコストダウンを図ることができる。また、下側緩衝部１０と上側緩衝部１１が梱包箱１の高さ方向の略中央で面接触し、下側補強板１４及び上側補強板１５によって短側面板４が下辺から上辺に亘って補強されるので、短側面板４の強度を高めることができる。また、上記折曲係止部１７と嵌合孔１８との嵌合により、短側面板４と下側補強板１４とが結合されるので、短側面板４の下部の強度を一層高めることができる。さらに、上側緩衝部１１の凹部１３から突設された突張部１６の先端が上側補強板１５に当接されているので、短側面板４に略直交する方向に加えられた荷重を分散でき、短側面板４の強度を一層高めることができる。
【００２３】
なお、本発明は上記実施形態の構成に限られることなく種々の変形が可能である。例えば、梱包箱１においては、外底フラップ５及び内底フラップ６の奥行き寸法Ｌ（図３参照）は略同等とするのが、１枚の段ボール紙から複数個の梱包箱１を量産する上で最も望ましい設計とされるが、これらの寸法Ｌは、梱包箱１及び電子機器２の諸元に応じて適宜設定することができる。また、下側緩衝部１０及び上側緩衝部１１を形成する内底フラップ６及び内天フラップ８は、長側面板３に連設されていてもよい。この場合は、外底フラップ５及び外天フラップ７は短側面板４の下辺及び上辺に連設するように設ければよい。
【図面の簡単な説明】
【００２４】
【図１】（ａ）は本発明の一実施形態による梱包箱の構造を示す斜視図、（ｂ）はその要部を拡大した図。
【図２】（ａ）は図１（ａ）におけるＡ−Ａ線断面図、（ｂ）は同Ｂ−Ｂ線断面図、（ｃ）は同Ｃ−Ｃ線断面図。
【図３】同梱包箱の展開図。
【図４】（ａ）は下側緩衝部が形成された状態の梱包箱、（ｂ）は電子機器が収容される状態の梱包箱、（ｃ）は上側緩衝部を形成している状態の梱包箱。
【符号の説明】
【００２５】
１    梱包箱
２    電子機器
３    長側面板
４    短側面板
５    外底フラップ
６    内底フラップ
７    外天フラップ
８    内天フラップ
１０    下側緩衝部
１１    上側緩衝部
１２    凹部
１３    凹部
１４    下側補強板
１５    上側補強板
１７    折曲係止部
１８    嵌合孔
【図１】
2005255227.tif 000003
【図２】
2005255227.tif 000004
【図３】
2005255227.tif 000005
【図４】
2005255227.tif 000006